(57)【要約】【課題】飲料の流路を加熱殺菌する際に、注入部及び注入部近傍の流路も加熱殺菌することのできる飲料ディスペンサを提供する。【解決手段】各流路７１，７２，７３，７４の加熱殺菌を行う場合に、注入部１０をボトル１から取外して連結部材６０に連結し、温水タンク２０内の加熱された飲料が各流路７１，７２，７３，７４、冷水ノズル３０、連結部材６０及び注入部１０に流通するようにしたので、加熱された飲料により各流路７１，７２，７３，７４の加熱殺菌を行う際に、注入部１０及び注入部１０近傍の流路も加熱殺菌することができ、飲料の衛生状態の向上を図る上で極めて有利である。【選択図】図２
2007062746.tif 000002
【特許請求の範囲】
【請求項１】
飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、
前記飲料容器の注出口と着脱自在に連結可能な注入部と、
飲料容器の注出口と連結していない注入部と着脱自在に連結可能な連結部材と、
注入部から第１注出弁に飲料を流通させる第１流路と、
第１流路から貯溜部に飲料を流通させる第２流路と、
貯溜部から第１流路の第１注出弁側に飲料を流通させる第３流路と、
第３流路から連結部材に飲料を流通させる第４流路と、
第１乃至第４流路のいずれかに設けられた飲料流通用のポンプとを備えた
ことを特徴とする飲料ディスペンサ。
【請求項２】
飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、
前記飲料容器の注出口と着脱自在に連結可能な第１及び第２注入部と、
飲料容器の注出口と連結していない方の注入部と着脱自在に連結可能な連結部材と、
第１注入部から第１注出弁に飲料を流通させる第１流路と、
第１流路から貯溜部に飲料を流通させる第２流路と、
貯溜部から第１流路の第１注出弁側に飲料を流通させる第３流路と、
第３流路から連結部材に飲料を流通させる第４流路と、
第２注入部から第１流路に飲料を流通させる第５流路と、
第１乃至第４流路のいずれかに設けられた飲料流通用のポンプとを備えた
ことを特徴とする飲料ディスペンサ。
【請求項３】
飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、
前記飲料容器の注出口と着脱自在に連結可能な第１及び第２注入部と、
飲料容器の注出口と連結していない第１注入部と着脱自在に連結可能な第１連結部材と、
飲料容器の注出口と連結していない第２注入部と着脱自在に連結可能な第２連結部材と、
第１注入部から第１注出弁に飲料を流通させる第１流路と、
第１流路から貯溜部に飲料を流通させる第２流路と、
貯溜部から第１流路の第１注出弁側に飲料を流通させる第３流路と、
第３流路から第１連結部材に飲料を流通させる第４流路と、
第３流路から第２連結部材に飲料を流通させる第５流路と、
第２注入部から第１流路に飲料を流通させる第６流路と、
第１乃至第３流路のいずれかに設けられた飲料流通用のポンプとを備えた
ことを特徴とする飲料ディスペンサ。
【請求項４】
飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、
前記飲料容器の注出口と着脱自在に連結可能な注入部と、
飲料容器の注出口と連結していない注入部と着脱自在に連結可能な連結部材と、
連結部材を加熱可能な加熱器と、
注入部から第１注出弁に飲料を流通させる第１流路と、
第１流路から貯溜部に飲料を流通させる第２流路と、
貯溜部から第１流路の第１注出弁側に飲料を流通させる第３流路と、
第１乃至第３流路のいずれかに設けられた飲料流通用のポンプとを備えた
ことを特徴とする飲料ディスペンサ。
【請求項５】
飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、
前記飲料容器の注出口と着脱自在に連結可能な第１及び第２注入部と、
飲料容器の注出口と連結していない方の注入部と着脱自在に連結可能な連結部材と、
連結部材を加熱可能な加熱器と、
第１注入部から第１注出弁に飲料を流通させる第１流路と、
第１流路から貯溜部に飲料を流通させる第２流路と、
貯溜部から第１流路の第１注出弁側に飲料を流通させる第３流路と、
第２注入部から第１流路に飲料を流通させる第４流路と、
第１乃至第３流路のいずれかに設けられた飲料流通用のポンプとを備えた
ことを特徴とする飲料ディスペンサ。
【請求項６】
飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、
前記飲料容器の注出口と着脱自在に連結可能な注入部と、
飲料容器の注出口と連結していない注入部と着脱自在に連結可能な連結部材と、
注入部から第１注出弁に飲料を流通させる第１流路と、
第１流路から貯溜部に飲料を流通させる第２流路と、
連結部材を加熱可能な第１加熱器と、
第２流路と注出弁との間の第１流路を加熱可能な第２加熱器とを備えた
ことを特徴とする飲料ディスペンサ。
【請求項７】
飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、
前記飲料容器の注出口と着脱自在に連結可能な第１及び第２注入部と、
飲料容器の注出口と連結していない方の注入部と着脱自在に連結可能な連結部材と、
第１注入部から第１注出弁に飲料を流通させる第１流路と、
第１流路から貯溜部に飲料を流通させる第２流路と、
第２注入部から第１流路に飲料を流通させる第３流路と、
連結部材を加熱可能な第１加熱器と、
第２流路と第１注出弁との間の第１流路を加熱可能な第２加熱器とを備えた
ことを特徴とする飲料ディスペンサ。
【請求項８】
飲料容器から供給される飲料を冷却して貯溜可能な冷却用貯溜部と、注入部と連結された飲料容器から供給される飲料を加熱して貯溜可能な加熱用貯溜部と、冷却用貯溜部内の飲料を注出可能な第１注出弁と、加熱用貯溜部内の飲料を注出可能な第２注出弁とを備えた飲料ディスペンサにおいて、
前記飲料容器の注出口と着脱自在に連結可能な第１及び第２注入部と、
飲料容器の注出口と連結していない方の注入部と着脱自在に連結可能な連結部材と、
第１注入部から冷却用貯溜部に飲料を流通させる第１流路と、
第１流路から加熱用貯溜部に飲料を流通させる第２流路と、
冷却用貯溜部から第１注出弁に飲料を流通させる第３流路と、
加熱用貯溜部から第３流路の第１注出弁側に飲料を流通させる第４流路と、
第４流路から連結部材に飲料を流通させる第５流路と、
第２注入部から第１流路に飲料を流通させる第６流路と、
第１乃至第５流路のいずれかに設けられた飲料流通用のポンプとを備えた
ことを特徴とする飲料ディスペンサ。
【請求項９】
飲料容器から供給される飲料を冷却して貯溜可能な冷却用貯溜部と、注入部と連結された飲料容器から供給される飲料を加熱して貯溜可能な加熱用貯溜部と、冷却用貯溜部内の飲料を注出可能な第１注出弁と、加熱用貯溜部内の飲料を注出可能な第２注出弁とを備えた飲料ディスペンサにおいて、
前記飲料容器の注出口と着脱自在に連結可能な第１及び第２注入部と、
飲料容器の注出口と連結していない方の注入部と着脱自在に連結可能な連結部材と、
第１注入部から冷却用貯溜部に飲料を流通させる第１流路と、
第１流路から加熱用貯溜部に飲料を流通させる第２流路と、
冷却用貯溜部から第１注出弁に飲料を流通させる第３流路と、
第２注入部から第１流路に飲料を流通させる第４流路と、
連結部材を加熱可能な第１加熱器と、
第２流路と冷却用貯溜部との間の第１流路を加熱可能な第２加熱器と、
第３流路を加熱可能な第３加熱器とを備えた
ことを特徴とする飲料ディスペンサ。
【請求項１０】
前記第１注出弁に、第１流路と接続可能な第１接続口と、第１接続口に連通するとともに、第３流路と接続可能な第２接続口とを設けた
ことを特徴とする請求項１、２、３、４または５記載の飲料ディスペンサ。
【請求項１１】
前記第１注出弁に、第１流路を接続可能な第１接続口と、第１接続口に連通するとともに、第４流路を接続可能な第１接続口とを設けた
ことを特徴とする請求項８記載の飲料ディスペンサ。
【請求項１２】
前記各注入部を、一端が飲料容器に差込まれて飲料容器内に連通する差込管から形成した
ことを特徴とする請求項１、２、３、４、５、６、７、８、９、１０または１１記載の飲料ディスペンサ。
【請求項１３】
前記各流路または貯溜部に内部の圧力を低減するための圧力調整弁を設けた
ことを特徴とする請求項１、２、３、４、５、６、７、８、９、１０、１１または１２記載の飲料ディスペンサ。
【請求項１４】
前記各注入部に連結された飲料容器を冷却する冷却庫を設けた
ことを特徴とする請求項１、２、３、４、５、６、７、８、９、１０、１１、１２または１３記載の飲料ディスペンサ。
【請求項１５】
前記各流路を少なくとも一部が冷却庫内に配置されるように設けた
ことを特徴とする請求項１、２、３、４、５、６、７、８、９、１０、１１、１２、１３または１４記載の飲料ディスペンサ。
【発明の詳細な説明】
【技術分野】
【０００１】
本発明は、例えばミネラルウォーターを収容した飲料容器が着脱自在に装着され、飲料容器から供給されるミネラルウォーターを加熱または冷却して注出弁から任意に注出可能な飲料ディスペンサに関するものである。
【背景技術】
【０００２】
従来、この種の飲料ディスペンサとしては、飲料容器が注出口を下方に向けて着脱自在に連結される注入部と、注入部に連結された飲料容器から供給される飲料を所定の温度に加熱して貯溜する加熱用貯溜部と、飲料容器から供給される飲料を所定の温度に冷却して貯溜する冷却用貯溜部と、注入部から加熱用貯溜部に飲料を流通させる第１連通管と、第１連通管から冷却用貯溜部に飲料を流通させる第２連通管と、加熱用貯溜部から冷却用貯溜部に飲料を流通させる第３連通管と、第３連通管の途中に設けられ、第３連通管内の飲料を冷却用貯溜部側に流通させるポンプとを備え、加熱用貯溜部内で加熱された飲料をポンプによって流通させることにより、第３連通管、冷却用貯溜部、第２連通管及び第２連通管と加熱用貯溜部との間の第１連通管を加熱殺菌するようにしたものが知られている（例えば、特許文献１参照。）。
【特許文献１】特開平６−４８４８８号公報
【発明の開示】
【発明が解決しようとする課題】
【０００３】
しかしながら、前記飲料ディスペンサでは、第２連通管と注入部との間の第１連通管には加熱された飲料が流通しないので、注入部及び注入部近傍の第１連通管を加熱殺菌することができないという問題点があった。
【０００４】
本発明は前記問題点に鑑みてなされたものであり、その目的とするところは、飲料の流路を加熱殺菌する際に、注入部及び注入部近傍の流路も加熱殺菌することのできる飲料ディスペンサを提供することにある。
【課題を解決するための手段】
【０００５】
本発明は前記目的を達成するために、飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、前記飲料容器の注出口と着脱自在に連結可能な注入部と、飲料容器の注出口と連結していない注入部と着脱自在に連結可能な連結部材と、注入部から第１注出弁に飲料を流通させる第１流路と、第１流路から貯溜部に飲料を流通させる第２流路と、貯溜部から第１流路の第１注出弁側に飲料を流通させる第３流路と、第３流路から連結部材に飲料を流通させる第４流路と、第１乃至第４流路のいずれかに設けられた飲料流通用のポンプとを備えている。
【０００６】
これにより、連結部材と注入部とを連結することにより、貯溜部、第３流路、第３流路と第２流路との間の第１流路及び第２流路が連通するとともに、貯溜部、第３流路、第４流路、連結部材、注入部及び注入部と第２流路との間の第１流路が連通し、また、第１乃至第４流路のいずれかに飲料流通用のポンプが設けられていることから、ポンプを駆動することにより、貯溜部内の加熱された飲料が第１乃至第４流路、連結部材及び注入部に流通する。即ち、加熱された飲料により各流路の加熱殺菌を行う際に、注入部及び注入部近傍の流路も加熱殺菌することができる。
【０００７】
また、本発明は、飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、前記飲料容器の注出口と着脱自在に連結可能な第１及び第２注入部と、飲料容器の注出口と連結していない方の注入部と着脱自在に連結可能な連結部材と、第１注入部から第１注出弁に飲料を流通させる第１流路と、第１流路から貯溜部に飲料を流通させる第２流路と、貯溜部から第１流路の第１注出弁側に飲料を流通させる第３流路と、第３流路から連結部材に飲料を流通させる第４流路と、第２注入部から第１流路に飲料を流通させる第５流路と、第１乃至第４流路のいずれかに設けられた飲料流通用のポンプとを備えている。
【０００８】
これにより、連結部材と第１注入部とを連結することにより、貯溜部、第３流路、第３流路と第２流路との間の第１流路及び第２流路が連通するとともに、貯溜部、第３流路、第４流路、連結部材、第１注入部及び第１注入部と第２流路との間の第１流路が連通し、また、第１乃至第４流路のいずれかに飲料流通用のポンプが設けられていることから、ポンプを駆動することにより、貯溜部内の加熱された飲料が第１乃至第４流路、連結部材及び第１注入部に流通する。即ち、加熱された飲料により各流路の加熱殺菌を行う際に、注入部及び注入部近傍の流路も加熱殺菌することができる。
【０００９】
また、本発明は、飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、前記飲料容器の注出口と着脱自在に連結可能な第１及び第２注入部と、飲料容器の注出口と連結していない第１注入部と着脱自在に連結可能な第１連結部材と、飲料容器の注出口と連結していない第２注入部と着脱自在に連結可能な第２連結部材と、第１注入部から第１注出弁に飲料を流通させる第１流路と、第１流路から貯溜部に飲料を流通させる第２流路と、貯溜部から第１流路の第１注出弁側に飲料を流通させる第３流路と、第３流路から第１連結部材に飲料を流通させる第４流路と、第３流路から第２連結部材に飲料を流通させる第５流路と、第２注入部から第１流路に飲料を流通させる第６流路と、第１乃至第３流路のいずれかに設けられた飲料流通用のポンプとを備えている。
【００１０】
これにより、第１連結部材と第１注入部とを連結することにより、貯溜部、第３流路、第３流路と第２流路との間の第１流路及び第２流路が連通するとともに、貯溜部、第３流路、第４流路、第１連結部材、第１注入部及び第１注入部と第２流路との間の第１流路が連通し、また、第１乃至第３流路のいずれかに飲料流通用のポンプが設けられていることから、ポンプを駆動することにより、貯溜部内の加熱された飲料が第１乃至第４流路、第１連結部材及び第１注入部に流通する。即ち、加熱された飲料により各流路の加熱殺菌を行う際に、注入部及び注入部近傍の流路も加熱殺菌することができる。
【００１１】
また、本発明は、飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、前記飲料容器の注出口と着脱自在に連結可能な注入部と、飲料容器の注出口と連結していない注入部と着脱自在に連結可能な連結部材と、連結部材を加熱可能な加熱器と、注入部から第１注出弁に飲料を流通させる第１流路と、第１流路から貯溜部に飲料を流通させる第２流路と、貯溜部から第１流路の第１注出弁側に飲料を流通させる第３流路と、第１乃至第３流路のいずれかに設けられた飲料流通用のポンプとを備えている。
【００１２】
これにより、貯溜部、第３流路、第３流路と第２流路との間の第１流路及び第２流路が連通していることから、ポンプを駆動することにより、貯溜部内の加熱された飲料により各流路の加熱殺菌を行うことができる。また、連結部材と注入部とを連結するとともに、加熱器によって連結部材を加熱することにより、加熱器に連結している注入部及び注入部近傍の第１流路が加熱される。即ち、加熱された飲料により各流路の加熱殺菌を行う際に、注入部及び注入部近傍の流路も加熱殺菌することができる。
【００１３】
また、本発明は、飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、前記飲料容器の注出口と着脱自在に連結可能な第１及び第２注入部と、飲料容器の注出口と連結していない方の注入部と着脱自在に連結可能な連結部材と、連結部材を加熱可能な加熱器と、第１注入部から第１注出弁に飲料を流通させる第１流路と、第１流路から貯溜部に飲料を流通させる第２流路と、貯溜部から第１流路の第１注出弁側に飲料を流通させる第３流路と、第２注入部から第１流路に飲料を流通させる第４流路と、第１乃至第３流路のいずれかに設けられた飲料流通用のポンプとを備えている。
【００１４】
これにより、貯溜部、第３流路、第３流路と第２流路との間の第１流路及び第２流路が連通していることから、ポンプを駆動することにより、貯溜部内の加熱された飲料により各流路の加熱殺菌を行うことができる。また、連結部材と第１注入部とを連結するとともに、加熱器によって連結部材を加熱することにより、加熱器に連結している第１注入部及び第１注入部近傍の第１流路が加熱される。即ち、加熱された飲料により各流路の加熱殺菌を行う際に、注入部及び注入部近傍の流路も加熱殺菌することができる。
【００１５】
また、本発明は、飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、前記飲料容器の注出口と着脱自在に連結可能な注入部と、飲料容器の注出口と連結していない注入部と着脱自在に連結可能な連結部材と、注入部から第１注出弁に飲料を流通させる第１流路と、第１流路から貯溜部に飲料を流通させる第２流路と、連結部材を加熱可能な第１加熱器と、第２流路と注出弁との間の第１流路を加熱可能な第２加熱器とを備えている。
【００１６】
これにより、第２加熱器によって第２流路と第１注出弁との間の第１流路を加熱することにより、第１流路に連通している第２流路も加熱されることから、第２加熱器によって第１注出弁側の第１流路及び第２流路を加熱殺菌することができる。また、連結部材に注入部を連結するとともに、第１加熱器によって連結部材を加熱することにより、連結部材に連結している注入部及び注入部近傍の第１流路が加熱される。即ち、各流路の加熱殺菌を行う際に、注入部及び注入部近傍の流路も加熱殺菌することができる。
【００１７】
また、本発明は、飲料容器から供給される飲料を加熱して貯溜可能な貯溜部と、飲料容器内の飲料を注出可能な第１注出弁と、貯溜部内の飲料を注出可能な第２注出弁とを備えた飲料ディスペンサにおいて、前記飲料容器の注出口と着脱自在に連結可能な第１及び第２注入部と、飲料容器の注出口と連結していない方の注入部と着脱自在に連結可能な連結部材と、第１注入部から第１注出弁に飲料を流通させる第１流路と、第１流路から貯溜部に飲料を流通させる第２流路と、第２注入部から第１流路に飲料を流通させる第３流路と、連結部材を加熱可能な第１加熱器と、第２流路と第１注出弁との間の第１流路を加熱可能な第２加熱器とを備えている。
【００１８】
これにより、第２加熱器によって第２流路と第１注出弁との間の第１流路を加熱することにより、第１流路に連通している第２流路も加熱されることから、第２加熱器によって第１注出弁側の第１流路及び第２流路を加熱殺菌することができる。また、連結部材に第１注入部を連結するとともに、第１加熱器によって連結部材を加熱することにより、連結部材に連結している第１注入部及び第１注入部近傍の第１流路が加熱殺菌される。即ち、各流路の加熱殺菌を行う際に、注入部及び注入部近傍の流路も加熱殺菌することができる。
【００１９】
また、本発明は、飲料容器から供給される飲料を冷却して貯溜可能な冷却用貯溜部と、注入部と連結された飲料容器から供給される飲料を加熱して貯溜可能な加熱用貯溜部と、冷却用貯溜部内の飲料を注出可能な第１注出弁と、加熱用貯溜部内の飲料を注出可能な第２注出弁とを備えた飲料ディスペンサにおいて、前記飲料容器の注出口と着脱自在に連結可能な第１及び第２注入部と、飲料容器の注出口と連結していない方の注入部と着脱自在に連結可能な連結部材と、第１注入部から冷却用貯溜部に飲料を流通させる第１流路と、第１流路から加熱用貯溜部に飲料を流通させる第２流路と、冷却用貯溜部から第１注出弁に飲料を流通させる第３流路と、加熱用貯溜部から第３流路の第１注出弁側に飲料を流通させる第４流路と、第４流路から連結部材に飲料を流通させる第５流路と、第２注入部から第１流路に飲料を流通させる第６流路と、第１乃至第５流路のいずれかに設けられた飲料流通用のポンプとを備えている。
【００２０】
これにより、連結部材と第１注入部を連結することにより、加熱用貯溜部、第４流路、第３流路、冷却用貯溜部、冷却用貯溜部と第２流路との間の第１流路及び第２流路が連通するとともに、加熱用貯溜部、第４流路、第５流路、連結部材、第１注入部及び第１注入部と第２流路との間の第１流路が連通することから、ポンプを駆動することにより、貯溜部内の加熱された飲料が第１乃至第５流路、連結部材及び第１注入部に流通する。即ち、加熱された飲料により各流路の加熱殺菌を行う際に、注入部及び注入部近傍の流路も加熱殺菌することができる。
【００２１】
また、本発明は、飲料容器から供給される飲料を冷却して貯溜可能な冷却用貯溜部と、注入部と連結された飲料容器から供給される飲料を加熱して貯溜可能な加熱用貯溜部と、冷却用貯溜部内の飲料を注出可能な第１注出弁と、加熱用貯溜部内の飲料を注出可能な第２注出弁とを備えた飲料ディスペンサにおいて、前記飲料容器の注出口と着脱自在に連結可能な第１及び第２注入部と、飲料容器の注出口と連結していない方の注入部と着脱自在に連結可能な連結部材と、第１注入部から冷却用貯溜部に飲料を流通させる第１流路と、第１流路から加熱用貯溜部に飲料を流通させる第２流路と、冷却用貯溜部から第１注出弁に飲料を流通させる第３流路と、第２注入部から第１流路に飲料を流通させる第４流路と、連結部材を加熱可能な第１加熱器と、第２流路と冷却用貯溜部との間の第１流路を加熱可能な第２加熱器と、第３流路を加熱可能な第３加熱器とを備えている。
【００２２】
これにより、第２加熱器によって第２流路と冷却用貯溜部との間の第１流路を加熱することにより、第１流路に連通している第２流路も加熱されることから、第２加熱器によって冷却用貯溜部側の第１流路及び第２流路を加熱殺菌することができる。また、第３加熱器によって第３流路を加熱殺菌することができる。さらに、連結部材に第１注入部を連結するとともに、第１加熱器によって連結部材を加熱することにより、連結部材に連結している第１注入部及び第１注入部近傍の第１流路が加熱殺菌される。即ち、各流路の加熱殺菌を行う際に、注入部及び注入部近傍の流路も加熱殺菌することができる。
【発明の効果】
【００２３】
本発明の飲料ディスペンサによれば、飲料の流路の加熱殺菌を行う際に注入部及び注入部近傍の流路も加熱殺菌することができるので、飲料の衛生状態の向上を図る上で極めて有利である。
【発明を実施するための最良の形態】
【００２４】
図１乃至図３は本発明の第１の実施形態を示すもので、図１は飲料ディスペンサの一部断面正面図、図２は加熱殺菌する際の飲料ディスペンサの一部断面正面図、図３は冷水ノズルの正面図である。
【００２５】
本実施形態の飲料ディスペンサは、飲料容器としてのボトル１と着脱自在に連結可能な注入部１０と、注入部１０に連結されたボトル１から供給される飲料を加熱して貯溜可能な貯溜部としての温水タンク２０と、ボトル１内の飲料を注出可能な第１注出弁としての冷水ノズル３０と、温水タンク２０内の飲料を注出可能な第２注出弁としての温水ノズル４０と、注入部１０に連結されたボトル１を収容可能な周知の冷却庫５０と、冷却庫５０内に設けられた連結部材６０と、注入部１０から冷水ノズル３０に飲料を流通させる第１流路７１と、第１流路７１から温水タンク２０に飲料を流通させる第２流路７２と、温水タンク２０から第１流路７１の冷水ノズル３０側に飲料を流通させる第３流路７３と、第３流路７３の途中から連結部材６０に飲料を流通させる第４流路７４と、第３流路７３に設けられた飲料流通用の周知のポンプ８０と、第３流路７３に設けられた周知の開閉弁８１とを備えている。
【００２６】
ボトル１はプラスチック製の容器であり、ミネラルウォーター等の飲料を収容している。ボトル１はその注出口を蓋２によって閉鎖され、冷却庫５０内に設けられた載置台５１に蓋２を下方に向けた状態で載置されている。
【００２７】
注入部１０は差込管１１を有し、差込管１１は上端部が斜めに切断された金属製パイプからなる。差込管１１が載置台５１に載置されたボトル１の蓋２に下方から差込まれると、注入部１０がボトル１の注出口に連結されるとともに、差込管１１がボトル１内と連通する。差込管１１の下端部は第１流路７１の一端に連結されている。
【００２８】
温水タンク２０は両端部を閉鎖された円筒状であり、飲料を加熱するための周知の電熱ヒータ２１と、飲料の温度を検出可能な温度センサ２２とを備えている。電熱ヒータ２１は温度センサ２２の検出結果に基づき制御され、温水タンク２０内の飲料を所定の温度に加熱している。
【００２９】
冷水ノズル３０は、図３に示すように、第１接続口３１と、第１接続口３１に連通している第２接続口３２とを有する。第１接続口３１には第１連通管７１の他端が接続され、第２接続口３２には第３連通管の一端が接続されている。また、冷水ノズル３０は下方に延びる注出用パイプ３３を有する。冷水ノズル３０は内部に図示しない開閉弁が設けられ、注出用パイプ３３の下方に配置されたコップＣＡに飲料を注出可能である。冷水ノズル３０はその一部が冷却庫５０内に配置されている。
【００３０】
温水ノズル４０は温水タンク２０から延びる温水用連通管２３の一端に接続され、下方に延びる注出用パイプ４１を有する。温水ノズル４０は内部に図示しない開閉弁が設けられ、注出用パイプ４１の下方に配置されたコップＣＡに飲料を注出可能である。
【００３１】
連結部材６０は樹脂等の弾性を有する材料からなり、下面の中央部に差込管１１を差込可能な図示しない穴が設けられている。連結部材６０に下方から差込管１１を差し込むことにより、連結部材６０と差込管１１とが連結する。
【００３２】
第１流路７１は、注入部１０に連結された注入部側流路７１ａと、冷水ノズル３０に連結されたノズル側流路７１ｂとを有する。注入部側流路７１ａとノズル側流路７１ｂとは連結されている。注入部側流路７１ａは樹脂配管（ポリエチレン、シリコン等）、蛇腹状ステンレス配管等の可撓性を有する管状部材からなり、ノズル側流路７１ｂはステンレス等の金属製パイプからなる。第１流路７１は冷却庫５０内に配置されている。
【００３３】
第２流路７２はステンレス等の金属製パイプからなり、一端がノズル側流路７１ｂの注入部１０側に連通するとともに、他端が温水タンク２０に上方から連通している。第２流路７２の一端側は冷却庫５０内に配置されている。
【００３４】
第３流路７３はステンレス等の金属製パイプからなり、一端が冷水ノズル３０に連通するとともに、他端が温水タンク２０に下方から連通している。第３流路７３の一端側は冷却庫５０内に配置されている。
【００３５】
第４流路７４はステンレス等の金属製パイプからなり、一端が第３流路７３に連通するとともに、他端が連結部材６０に連通している。第４流路７４は冷却庫５０内に配置されている。
【００３６】
このように構成された飲料ディスペンサは、図１に示すように、注入部１０に連結されたボトル１内の飲料は第１流路７１及び第２流路７２を介して温水タンク２０内に流入する。温水タンク２０内の飲料は温水用連通管２３を介して温水ノズル４０から任意に注出される。また、ボトル１内の飲料は第１流路７１を介して冷水ノズル３０から任意に注出される。このとき、ポンプ８０は停止しており、開閉弁８１は閉鎖されている。
【００３７】
ここで、各流路７１，７２，７３，７４の加熱殺菌を行う場合は、注入部１０をボトル１から取外して連結部材６０に連結し、開閉弁８１を開放するとともに、ポンプ８０を駆動する。これにより、温水タンク２０、第３流路７３、冷水ノズル３０、冷水ノズル３０と第２流路７２との間の第１流路７１及び第２流路７２が連通するとともに、温水タンク２０、第３流路７３、第４流路７４、連結部材６０、注入部１０及び注入部１０と第２流路７２との間の第１流路７１が連通する。従って、温水タンク２０内の加熱された飲料が各流路７１，７２，７３，７４、冷水ノズル３０、連結部材６０及び注入部１０に流通する。即ち、加熱された飲料により各流路７１，７２，７３，７４の加熱殺菌を行う際に、注入部１０及び注入部１０近傍の流路も加熱殺菌することができる。
【００３８】
このように、本実施形態によれば、各流路７１，７２，７３，７４の加熱殺菌を行う場合に、注入部１０をボトル１から取外して連結部材６０に連結し、温水タンク２０内の加熱された飲料が各流路７１，７２，７３，７４、冷水ノズル３０、連結部材６０及び注入部１０に流通するようにしたので、加熱された飲料により各流路７１，７２，７３，７４の加熱殺菌を行う際に、注入部１０及び注入部１０近傍の流路も加熱殺菌することができ、飲料の衛生状態の向上を図る上で極めて有利である。尚、加熱殺菌はボトル１の交換時に行うか、１日に１回定期的に行うことが望ましい。
【００３９】
また、冷水ノズル３０に、第１流路７１と接続可能な第１接続口３１と、第１接続口３１に連通するとともに、第３流路７３と接続可能な第２接続口３２とを設けたので、第１流路７１及び第３流路７３を冷水ノズル３０に連結することにより、第３流路７３を第１流路７１の冷水ノズル３０側に容易に連通させることができる。即ち、装置の組立を容易に行うことができ、製造コストを低減する上で極めて有利である。
【００４０】
また、注入部１０を一端がボトル１の蓋２に差込まれてボトル１内に連通する差込管１１から形成したので、注入部１０とボトル１との連結を容易に行うことができ、ボトル１の交換作業の短縮を図ることができる。
【００４１】
また、注入部１０に連結されたボトル１を冷却する冷却庫５０を設けたので、ボトル１内の飲料を低温に維持することができ、飲料の衛生状態を向上することができる。
【００４２】
また、各流路７１，７２，７３，７４を少なくとも一部が冷却庫５０内に配置されるように設けたので、各流路７１，７２，７３，７４内の飲料を低温に維持することができ、飲料の衛生状態を向上することができる。尚、冷水ノズル３０の第２接続口３２側に逆流防止のための弁を設けても良い。第４流路７４の最上端をボトル１の最上面よりも上方に配置して第４流路７４内に空気層を設け、冷水ノズル３０からの逆流を防止しても良い。
【００４３】
図４乃至図５は本発明の第２の実施形態を示すもので、図４は飲料ディスペンサの一部断面正面図、図５は加熱殺菌する際の飲料ディスペンサの一部断面正面図である。尚、第１の実施形態と同等の構成部分には同一の符号を付して示す。
【００４４】
本実施形態の飲料ディスペンサは、飲料容器としてのボトル１に着脱自在に連結可能な第１注入部１００と、第１注入部１００に連結されたボトル１から供給される飲料を加熱して貯溜可能な貯溜部としての温水タンク２０と、ボトル１内の飲料を注出可能な第１注出弁としての冷水ノズル３０と、温水タンク２０内の飲料を注出可能な第２注出弁としての温水ノズル４０と、第１注入部１００に連結されたボトル１を収容可能な周知の冷却庫５０と、冷却庫５０内に設けられ、ボトル１が連結されていない注入部１００と着脱自在に連結可能な連結部材６０と、ボトル１及び連結部材６０と着脱自在に連結可能な第２注入部１１０と、第１注入部１００から冷水ノズル３０に飲料を流通させる第１流路１２１と、第１流路１２１から温水タンク２０に飲料を流通させる第２流路１２２と、温水タンク２０から第１流路１２１の冷水ノズル３０側に飲料を流通させる第３流路１２３と、第３流路１２３の途中から連結部材６０に飲料を流通させる第４流路１２４と、第２注入部１１０から第１流路１２１に飲料を流通させる第５流路１２５と、第３流路１２３に設けられた飲料流通用の周知のポンプ８０と、第３流路１２３に設けられた周知の開閉弁８１とを備えている。
【００４５】
温水タンク２０、冷水ノズル３０、温水ノズル４０、冷却庫５０、連結部材６０、ポンプ８０及び開閉弁８１は第１の実施形態と同等である。
【００４６】
第１注入部１００は差込管１０１を有し、差込管１０１は上端部が斜めに切断された金属製パイプからなる。差込管１０１が載置台５１に載置されたボトル１の蓋２に下方から差込まれると、第１注入部１００がボトル１の注出口に連結されるとともに、差込管１０１がボトル１内と連通する。
【００４７】
第２注入部１１０は第１注入部１００と同等の構成である。第２注入部１１０は差込管１１１を有し、差込管１１１は上端部が斜めに切断された金属製パイプからなる。差込管１１１が載置台５１に載置されたボトル１の蓋２に下方から差込まれると、差込管１１１がボトル１内と連通する。
【００４８】
第１流路１２１は、第１注入部１００に連結された注入部側流路１２１ａと、冷水ノズル３０に連結されたノズル側流路１２１ｂと、注入部側流路１２１ａとノズル側流路１２１ｂとを連結する中間流路１２１ｃとを有する。注入部側流路１２１ａ及びノズル側流路１２１ｂはステンレス等の金属製パイプからなる。中間流路１２１ｃは樹脂配管（ポリエチレン、シリコン等）、蛇腹状ステンレス配管等の可撓性を有する管状部材からなる。第１流路１２１は冷却庫５０内に配置されている。
【００４９】
第２流路１２２はステンレス等の金属製パイプからなり、一端がノズル側流路１２１ｂの第１注入部１００側に連通するとともに、他端が温水タンク２０に上方から連通している。第２流路１２２の一端側は冷却庫５０内に配置されている。
【００５０】
第３流路１２３はステンレス等の金属製パイプからなり、一端が冷水ノズル３０に連通するとともに、他端が温水タンク２０に下方から連通している。第３流路１２３の一端側は冷却庫５０内に配置されている。
【００５１】
第４流路１２４はステンレス等の金属製パイプからなり、一端が第３流路１２３に連通するとともに、他端が連結部材６０に連通している。第４流路１２４は冷却庫５０内に配置されている。
【００５２】
第５流路１２５はステンレス等の金属製パイプからなり、一端が第２注入部１１０に連通するとともに、他端が注入部側流路１２１ａに連通している。即ち、第１注入部１００と第２注入部１１０とは注入部側流路１２１ａ及び第５流路１２５を介して連結されている。また、第１注入部１００が載置台５１に載置されたボトル１に連結している際に第２注入部１１０が連結部材６０に連結し、第１注入部１００が連結部材６０に連結している際に第２注入部１１０がボトル１に連結する。
【００５３】
このように構成された飲料ディスペンサは、図４に示すように、第１注入部１００に連結されたボトル１内の飲料は第１流路１２１及び第２流路１２２を介して温水タンク２０内に流入する。温水タンク２０内の飲料は温水用連通管２３を介して温水ノズル４０から任意に注出される。また、ボトル１内の飲料は第１流路１２１を介して冷水ノズル３０から任意に注出される。このとき、ポンプ８０は停止しており、開閉弁８１は閉鎖されている。
【００５４】
ここで、各流路１２１，１２２，１２３，１２４の加熱殺菌を行う場合は、第１注入部１００をボトル１から取外して連結部材６０に連結し、第２注入部１１０を連結部材６０から取外してボトル１に連結する。また、開閉弁８１を開放するとともに、ポンプ８０を駆動する。これにより、温水タンク２０、第３流路１２３、冷水ノズル３０、冷水ノズル３０と第２流路１２２との間の第１流路１２１及び第２流路１２２が連通するとともに、温水タンク２０、第３流路１２３、第４流路１２４、連結部材６０、第１注入部１００及び第１注入部１００と第２流路１２２との間の第１流路１２１が連通する。従って、温水タンク２０内の加熱された飲料が各流路１２１，１２２，１２３，１２４、冷水ノズル３０、連結部材６０及び第１注入部１００に流通する。即ち、加熱された飲料により各流路１２１，１２２，１２３，１２４の加熱殺菌を行う際に、第１注入部１００及び第１注入部１００近傍の流路も加熱殺菌することができる。
【００５５】
このように、本実施形態によれば、各流路１２１，１２２，１２３，１２４の加熱殺菌を行う場合に、第１注入部１００をボトル１から取外して連結部材６０に連結し、温水タンク２０内の加熱された飲料が各流路１２１，１２２，１２３，１２４、冷水ノズル３０、連結部材６０及び第１注入部１００に流通するようにしたので、加熱された飲料により各流路１２１，１２２，１２３，１２４の加熱殺菌を行う際に、第１注入部１００及び第１注入部１００近傍の流路も加熱殺菌することができ、飲料の衛生状態の向上を図る上で極めて有利である。
【００５６】
尚、本実施形態では、第１注入部１００を加熱殺菌するようにしたものを示したが、第２注入部１１０を連結部材６０に連結するとともに、ポンプ８０を駆動することにより、第２注入部１１０を加熱殺菌することができる。これにより、ボトル１内の飲料が無くなり、新しいボトル１に交換する時などは、加熱殺菌済の注入部１００，１１０を用いることで、飲料の衛生状態の向上を図ることができる。
【００５７】
図６乃至図７は本発明の第３の実施形態を示すもので、図６は飲料ディスペンサの一部断面正面図、図７は加熱殺菌する際の飲料ディスペンサの一部断面正面図である。尚、第２の実施形態と同等の構成部分には同一の符号を付して示す。
【００５８】
本実施形態の飲料ディスペンサは、飲料容器としてのボトル１と着脱自在に連結可能な第１注入部１００と、第１注入部１００に連結されたボトル１から供給される飲料を加熱して貯溜可能な貯溜部としての温水タンク２０と、ボトル１内の飲料を注出可能な第１注出弁としての冷水ノズル３０と、温水タンク２０内の飲料を注出可能な第２注出弁としての温水ノズル４０と、第１注入部１００に連結されたボトル１を収容可能な周知の冷却庫５０と、冷却庫５０内に設けられた第１連結部材１３１及び第２連結部材１３２と、ボトル１及び第２連結部材１３２と着脱自在に連結可能な第２注入部１１０と、第１注入部１００から冷水ノズル３０に飲料を流通させる第１流路１４１と、第１流路１４１から温水タンク２０に飲料を流通させる第２流路１４２と、温水タンク２０から第１流路１４１の冷水ノズル３０側に飲料を流通させる第３流路１４３と、第３流路１４３から第１連結部材１３１に飲料を流通させる第４流路１４４と、第３流路１４３から第２連結部材１３２に飲料を流通させる第５流路１４５と、第２注入部１１０から第１流路１４１に飲料を流通させる第６流路１４６と、第３流路１４３に設けられた飲料流通用の周知のポンプ８０と、第３流路１４３に設けられた周知の開閉弁８１とを備えている。
【００５９】
温水タンク２０、冷水ノズル３０、温水ノズル４０、冷却庫５０、第１注入部１００、第２注入部１１０、ポンプ８０及び開閉弁８１は第２の実施形態と同等である。
【００６０】
第１連結部材１３１は樹脂等の弾性を有する材料からなり、下面の中央部に第１注入部１００の差込管１０１を差込可能な図示しない穴が設けられている。第１連結部材１３１に下方から差込管１０１を差込むことにより、第１連結部材１３１と差込管１０１とが連結する。
【００６１】
第２連結部材１３２は樹脂等の弾性を有する材料からなり、下面の中央部に第２注入部１１０の差込管１１１を差込可能な図示しない穴が設けられている。第２連結部材１３２に下方から差込管１１１を差込むことにより、第２連結部材１３２と差込管１１１とが連結する。
【００６２】
第１流路１４１は、第１注入部１００に連結された注入部側流路１４１ａと、冷水ノズル３０に連結されたノズル側流路１４１ｂと、注入部側流路１４１ａとノズル側流路１４１ｂとを連結する中間流路１４１ｃとを有する。注入部側流路１４１ａ及びノズル側流路１４１ｂはステンレス等の金属製パイプからなる。中間流路１４１ｃは樹脂配管（ポリエチレン、シリコン等）、蛇腹状ステンレス配管等の可撓性を有する管状部材からなる。第１流路１４１は冷却庫５０内に配置されている。
【００６３】
第２流路１４２はステンレス等の金属製パイプからなり、一端がノズル側流路１４１ｂの第１注入部１００側に連通するとともに、他端が温水タンク２０に上方から連通している。第２流路１４２の一端側は冷却庫内に配置されている。
【００６４】
第３流路１４３はステンレス等の金属製パイプからなり、一端が冷水ノズル３０に連通するとともに、他端が温水タンク２０に下方から連通している。第３流路１４３の一端側は冷却庫５０内に配置されている。
【００６５】
第４流路１４４はステンレス等の金属製パイプからなり、一端が第３流路１４３に連通するとともに、他端が第１連結部材１３１に連通している。第４流路１４４には周知の開閉弁１４４ａが設けられている。第４流路１４４は冷却庫５０内に配置されている。
【００６６】
第５流路１４５はステンレス等の金属製パイプからなり、一端が第３流路１４３に連通するとともに、他端が第２連結部材１３２に連通している。第５流路１４５には周知の開閉弁１４５ａが設けられている。第５流路１４５は冷却庫５０内に配置されている。
【００６７】
第６流路１４６はステンレス等の金属製パイプからなり、一端が第２注入部１１０に連通するとともに、他端が注入部側流路１４１ａに連通している。即ち、第１注入部１００と第２注入部１１０とは注入部側流路１４１ａ及び第５流路１４５を介して連結されている。また、第１注入部１００が載置台５１に載置されたボトル１に連結している際に第２注入部１１０が第２連結部材１３２に連結し、第１注入部１００が第１連結部材１３１に連結している際に第２注入部１１０がボトル１に連結する。
【００６８】
このように構成された飲料ディスペンサは、図６に示すように、第１注入部１００に連結されたボトル１内の飲料は第１流路１４１及び第２流路１４２を介して温水タンク２０内に流入する。温水タンク２０内の飲料は温水用連通管２３を介して温水ノズル４０から任意に注出される。また、ボトル１内の飲料は第１流路１４１を介して冷水ノズル３０から任意に注出される。このとき、ポンプ８０は停止しており、各開閉弁８１，１４４ａ，１４５ａは閉鎖されている。
【００６９】
ここで、各流路１４１，１４２，１４３，１４４の加熱殺菌を行う場合は、第１注入部１００をボトル１から取外して第１連結部材１３１に連結し、第２注入部１１０を第２連結部材１３２から取外してボトル１に連結する。また、開閉弁８１及び開閉弁１４４ａを開放するとともに、ポンプ８０を駆動する。これにより、温水タンク２０、第３流路１４３、冷水ノズル３０、冷水ノズル３０と第２流路１４２との間の第１流路１４１及び第２流路１４２が連通するとともに、温水タンク２０、第３流路１４３、第４流路１４４、第１連結部材１３１、第１注入部１００及び第１注入部１００と第２流路１４２との間の第１流路１４１が連通する。従って、温水タンク２０内の加熱された飲料が各流路１４１，１４２，１４３，１４４、冷水ノズル３０、第１連結部材１３１及び第１注入部１００に流通する。即ち、加熱された飲料により各流路１４１，１４２，１４３，１４４の加熱殺菌を行う際に、第１注入部１００及び第１注入部１００近傍の流路も加熱殺菌することができる。
【００７０】
このように、本実施形態によれば、各流路１４１，１４２，１４３，１４４の加熱殺菌を行う場合に、第１注入部１００をボトル１から取外して第１連結部材１３１に連結し、温水タンク２０内の加熱された飲料が各流路１４１，１４２，１４３，１４４、冷水ノズル３０、第１連結部材１３１及び第１注入部１００に流通するようにしたので、加熱された飲料により各流路１４１，１４２，１４３，１４４の加熱殺菌を行う際に、第１注入部１００及び第１注入部１００近傍の流路も加熱殺菌することができ、飲料の衛生状態の向上を図る上で極めて有利である。
【００７１】
尚、本実施形態では、第１注入部１００の加熱殺菌をするようにしたものを示したが、第２注入部１１０を第２連結部材１３２に連結し、開閉弁１４５ａを開放するとともに、ポンプ８０を駆動することにより、第２注入部１１０を加熱殺菌することができる。
【００７２】
図８乃至図９は本発明の第４の実施形態を示すもので、図８は飲料ディスペンサの一部断面正面図、図９は加熱殺菌する際の飲料ディスペンサの一部断面正面図である。尚、第１の実施形態と同等の構成部分には同一の符号を付して示す。
【００７３】
本実施形態の飲料ディスペンサは、飲料容器としてのボトル１と着脱自在に連結可能な注入部１０と、注入部１０に連結されたボトル１から供給される飲料を加熱して貯溜可能な貯溜部としての温水タンク２０と、ボトル１内の飲料を注出可能な第１注出弁としての冷水ノズル３０と、温水タンク２０内の飲料を注出可能な第２注出弁としての温水ノズル４０と、注入部１０に連結されたボトル１を収容可能な周知の冷却庫５０と、冷却庫５０内に設けられ、ボトル１が連結されていない注入部１０と着脱自在に連結可能な連結部材６０と、注入部１０から冷水ノズル３０に飲料を流通させる第１流路７１と、第１流路７１から温水タンク２０に飲料を流通させる第２流路７２と、温水タンク２０から第１流路７１の冷水ノズル３０側に飲料を流通させる第３流路７３と、第３流路７３に設けられた飲料流通用の周知のポンプ８０と、第３流路７３に設けられた周知の開閉弁８１と、注入部１０と第２流路７２との間の第１流路７１に設けられた圧力開放弁７１ｃと、連結部材６０を加熱可能な加熱器１５０とを備えている。
【００７４】
注入部１０、温水タンク２０、冷水ノズル３０、温水ノズル４０、冷却庫５０、連結部材６０、各流路７１，７２，７３、ポンプ８０及び開閉弁８１は第１の実施形態と同等である。
【００７５】
圧力開放弁７１ｃは、第１流路７１内の圧力が所定の大きさ以上になると、第１流路７１内の気化した飲料を外部に逃がすようになっている。
【００７６】
加熱器１５０は連結部材６０の外周面に接する周知の電熱ヒータからなる。
【００７７】
このように構成された飲料ディスペンサは、図８に示すように、注入部１０に連結されたボトル１内の飲料は第１流路７１及び第２流路７２を介して温水タンク２０内に流入する。温水タンク２０内の飲料は温水用連通管２３を介して温水ノズル４０から任意に注出される。また、ボトル１内の飲料は第１流路７１を介して冷水ノズル３０から任意に注出される。このとき、ポンプ８０は停止しており、開閉弁８１は閉鎖されている。
【００７８】
ここで、各流路７１，７２，７３の加熱殺菌を行う場合は、注入部１０をボトル１から取外して連結部材６０に連結するとともに、開閉弁８１を開放し、ポンプ８０を駆動するとともに、加熱器１５０によって連結部材６０を加熱する。これにより、温水タンク２０、第３流路７３、冷水ノズル３０、冷水ノズル３０と第２流路７２との間の第１流路７１及び第２流路７２が連通し、温水タンク２０内の加熱された飲料が各流路７１，７２，７３及び冷水ノズル３０に流入する。また、加熱器１５０によって連結部材６０が加熱されると、連結部材６０に連結している注入部１０及び注入部１０と第２流路７２との間の第１流路７１が加熱される。即ち、加熱された飲料により各流路７１，７２，７３の加熱殺菌を行う際に、注入部１０及び注入部１０近傍の流路も加熱殺菌することができる。
【００７９】
このように、本実施形態によれば、各流路７１，７２，７３の加熱殺菌を行う場合に、注入部１０をボトル１から取外して連結部材６０に連結し、温水タンク２０内の加熱された飲料が各流路７１，７２，７３を流通する際に、加熱器１５０によって連結部材６０を加熱するようにしたので、加熱された飲料により各流路７１，７２，７３の加熱殺菌を行う際に、注入部１０及び注入部１０近傍の流路も加熱殺菌することができ、飲料の衛生状態の向上を図る上で極めて有利である。
【００８０】
また、第１流路７１には圧力開放弁７１ｃが設けられ、第１流路７１内の圧力が所定の大きさ以上になると、圧力開放弁７１ｃにより第１流路７１内の気化した飲料を外部に逃がすことができるので、加熱器１５０によって連結部材６０を加熱する際に、第１流路７１内の圧力が所定の大きさ以上の圧力になることを防止できる。
【００８１】
尚、本実施形態では、圧力開放弁７１ｃを第１流路７１に設けたものを示したが、圧力開放弁７１ｃを温水タンク２０に設けることも可能である。
【００８２】
図１０乃至図１１は本発明の第５の実施形態を示すもので、図１０は飲料ディスペンサの一部断面正面図、図１１は加熱殺菌をする際の飲料ディスペンサの一部断面正面図である。尚、第２の実施形態と同等の構成部分には同一の符号を付して示す。
【００８３】
本実施形態の飲料ディスペンサは、飲料容器としてのボトル１と着脱自在に連結可能な第１注入部１００と、第１注入部１００に連結されたボトル１から供給される飲料を加熱して貯溜可能な貯溜部としての温水タンク２０と、ボトル１内の飲料を注出可能な第１注出弁としての冷水ノズル３０と、温水タンク２０内の飲料を注出可能な第２注出弁としての温水ノズル４０と、第１注入部１００に連結されたボトル１を収容可能な周知の冷却庫５０と、冷却庫５０内に設けられ、ボトル１が連結されていない第１注入部１００と着脱自在に連結可能な連結部材６０と、ボトル１及び連結部材６０と着脱自在に連結可能な第２注入部１１０と、第１注入部１００から冷水ノズル３０に飲料を流通させる第１流路１２１と、第１流路１２１から温水タンク２０に飲料を流通させる第２流路１２２と、温水タンク２０から第１流路１２１の冷水ノズル３０側に飲料を流通させる第３流路１２３と、第２注入部１１０から第１流路１２１に飲料を流通させる第５流路１２５と、第３流路１２３に設けられた飲料流通用の周知のポンプ８０と、第３流路１２３に設けられた周知の開閉弁８１と、連結部材６０を加熱可能な加熱器１５０とを備えている。尚、第５流路１２５は請求項５に記載した第４流路に相当する。
【００８４】
温水タンク２０、冷水ノズル３０、温水ノズル４０、冷却庫５０、連結部材６０、各流路１２１，１２２，１２３，１２５、ポンプ８０、開閉弁８１、各注入部１００，１１０及び加熱器１５０は第２の実施形態と同等である。
【００８５】
このように構成された飲料ディスペンサは、図１０に示すように、注入部１０に連結されたボトル１内の飲料は第１流路１２１及び第２流路１２２を介して温水タンク２０内に流入する。温水タンク２０内の飲料は温水連通管２３を介して温水ノズル４０から任意に注出される。また、ボトル１内の飲料は第１流路１２１を介して冷水ノズル３０から任意に注出される。このとき、ポンプ８０は停止しており、開閉弁８１は閉鎖されている。
【００８６】
ここで、各流路１２１，１２２，１２３の加熱殺菌を行う場合は、第１注入部１００をボトル１から取外して連結部材６０に連結し、第２注入部１１０を連結部材６０から取外してボトル１に連結する。また、開閉弁８１を開放するとともに、ポンプ８０を駆動する。これにより、温水タンク２０、第３流路１２３、冷水ノズル３０、冷水ノズル３０と第２流路１２２との間の第１流路１２１及び第２流路１２２が連通し、温水タンク２０内の加熱された飲料が各流路１２１，１２２，１２３及び冷水ノズルに流入する。また、加熱器１５０によって連結部材６０が加熱されると、連結部材６０に連結されている第１注入部１００と第１注入部１００と第２流路１２２との間の第１流路１２１が加熱される。即ち、加熱された飲料により各流路１２１，１２２，１２３の加熱殺菌を行う際に、第１注入部１００及び第１注入部近傍の流路も加熱殺菌することができる。
【００８７】
このように、本実施形態によれば、各流路１２１，１２２，１２３の加熱殺菌を行う場合に、第１注入部１００をボトル１から取外して連結部材６０に連結し、温水タンク２０内の加熱された飲料が各流路１２１，１２２，１２３を流通する際に、加熱器１５０によって連結部材６０を加熱するようにしたので、加熱された飲料により各流路１２１，１２２，１２３の加熱殺菌を行う際に、第１注入部１００及び第１注入部１００近傍の流路も加熱殺菌することができ、飲料の衛生状態の向上を図る上で極めて有利である。
【００８８】
尚、本実施形態では、第１注入部１００を加熱殺菌するようにしたものを示したが、第２注入部１１０を連結部材６０に連結するとともに、加熱器１５０によって連結部材６０を加熱することにより、第２注入部１１０を加熱殺菌することができる。
【００８９】
図１２及び図１３は本発明の第６の実施形態を示すもので、図１２は飲料ディスペンサの一部断面正面図、図１３は加熱殺菌をする際の飲料ディスペンサの一部断面正面図である。尚、第１の実施形態と同等の構成部分には同一の符号を付して示す。
【００９０】
本実施形態の飲料ディスペンサは、飲料容器としてのボトル１に着脱自在に連結可能な注入部１０と、注入部１０に連結されたボトル１から供給される飲料を加熱して貯溜可能な貯溜部としての温水タンク２０と、ボトル１内の飲料を注出可能な第１注出弁としての冷水ノズル１６０と、温水タンク２０内の飲料を注出可能な第２注出弁としての温水ノズル４０と、注入部１０に連結されたボトル１を収容可能な周知の冷却庫５０と、冷却庫５０内に設けられ、ボトル１が連結されていない注入部１０と着脱自在に連結可能な連結部材６０と、注入部１０から冷水ノズル１６０に飲料を流通させる第１流路７１と、第１流路７１の途中から温水タンク２０に飲料を流通させる第２流路７２と、連結部材６０を加熱可能な第１加熱器１７１と、冷水ノズル１６０及び冷水ノズル１６０と第２流路７２との間の第１流路７１を加熱可能な第２加熱器１７２とを備えている。
【００９１】
注入部１０、温水タンク２０、温水ノズル４０、冷却庫５０、連結部材６０及び各流路７１，７２は第１の実施形態と同等である。
【００９２】
冷水ノズル１６０は下方に延びる注出用パイプ１６１を有するとともに、内部に図示しない開閉弁が設けられ、注出用パイプ１６１の下方に配置されたコップＣＡに飲料を注出可能である。冷水ノズル１６０はその一部が冷却庫５０内に配置されている。
【００９３】
第１加熱器１７１は連結部材６０の外周面に接する周知の電熱ヒータからなる。
【００９４】
第２加熱器１７２は冷水ノズル１６０及び冷水ノズル１６０と第２流路７２との間の第１流路７１に接する周知の電熱ヒータからなる。
【００９５】
このように構成された飲料ディスペンサは、図１２に示すように、注入部１０に連結されたボトル１内の飲料は第１流路７１及び第２流路７２を介して温水タンク２０内に流入する。温水タンク２０内の飲料は温水用連通管２３を介して温水ノズル４０から任意に注出される。また、ボトル１内の飲料は第１流路７１を介して冷水ノズル１６０から任意に注出される。
【００９６】
ここで、各流路７１，７２の加熱殺菌を行う場合は、注入部１０をボトル１から取外して連結部材６０に連結し、第１加熱器１７１によって連結部材６０を加熱するとともに、第２加熱器１７２によって冷水ノズル１６０及び第１流路７１を加熱する。第１加熱器１７１によって連結部材６０が加熱されると、連結部材６０に連結している注入部１０及び注入部１０と第２流路７２との間の第１流路７１が加熱される。また、第２加熱器１７２によって冷水ノズル１６０と第２流路７２との間の第１流路７１が加熱されると、第１流路７１に連通してる第２流路７２も加熱されることから、冷水ノズル１６０、第１流路７１及び第２流路７２が加熱される。
【００９７】
このように、本実施形態によれば、第２加熱器１７２によって冷水ノズル１６０、第１流路７１及び第２流路７２を加熱する際に、注入部１０を連結部材６０に連結し、第１加熱器１７１によって連結部材６０を加熱するようにしたので、各流路７１，７２の加熱殺菌を行う際に、注入部１０及び注入部１０近傍の流路も加熱殺菌することができ、飲料の衛生状態の向上を図る上で極めて有利である。
【００９８】
図１４乃至図１５は本発明の第７の実施形態を示すもので、図１４は飲料ディスペンサの一部断面正面図、図１５は加熱殺菌をする際の飲料ディスペンサの一部断面正面図である。尚、第５の実施形態と同等の構成部分には同一の符号を付して示す。
【００９９】
本実施形態の飲料ディスペンサは、飲料容器としてのボトル１と着脱自在に連結可能な第１注入部１００と、第１注入部１００に連結されたボトル１から供給される飲料を加熱して貯溜可能な貯溜部としての温水タンク２０と、ボトル１内の飲料を注出可能な第１注出弁としての冷水ノズル１８０と、温水タンク２０内の飲料を注出可能な第２注出弁としての温水ノズル４０と、第１注入部１００に連結されたボトル１を収容可能な周知の冷却庫５０と、冷却庫５０内に設けられ、ボトル１が連結されていない第１注入部１００と着脱自在に連結可能な連結部材６０と、ボトル１及び連結部材６０と着脱自在に連結可能な第２注入部１１０と、第１注入部１００から冷水ノズル１８０に飲料を流通させる第１流路１２１と、第１流路１２１から温水タンク２０に飲料を流通させる第２流路１２２と、第２注入部１１０から第１流路１２１に飲料を流通させる第５流路１２５と、冷水ノズル１８０と第２流路１２２との間の第１流路１２１に設けられた圧力開放弁１２１ｄと、連結部材６０を加熱可能な第１加熱器１９１と、冷水ノズル１８０及び冷水ノズル１８０と第２流路１２２との間の第１流路１２１を加熱可能な第２加熱器１９２とを備えている。
【０１００】
温水タンク２０、温水ノズル４０、冷却庫５０、連結部材６０、各流路１２１，１２２，１２５及び各注入部１００，１１０は第５の実施形態と同等である。
【０１０１】
圧力開放弁１２１ｄは、第１流路１２１内の圧力が所定の大きさ以上になると、第１流路１２１内の気化した飲料を外部に逃がすようになっている。
【０１０２】
冷水ノズル１８０は下方に延びる注出用パイプ１８１を有するとともに、内部に図示しない開閉弁が設けられ、注出用パイプ１８１の下方に配置されたコップＣＡに飲料を注出可能である。冷水ノズル１８０はその一部が冷却庫５０内に配置されている。
【０１０３】
第１加熱器１９１は連結部材６０の外周面に接する周知の電熱ヒータからなる。
【０１０４】
第２加熱器１９２は冷水ノズル１８０及び冷水ノズル１８０と第２流路１２２との間の第１流路１２１に接する周知の電熱ヒータからなる。
【０１０５】
このように構成された飲料ディスペンサは、図１４に示すように、第１注入部１００に連結されたボトル１内の飲料は第１流路１２１及び第２流路１２２を介して温水タンク２０内に流入する。温水タンク２０内の飲料は温水用連通管２３を介して温水ノズル４０から任意に注出される。また、ボトル１内の飲料は第１流路１２１を介して冷水ノズル１８０から任意に注出される。
【０１０６】
ここで、各流路１２１，１２２の加熱殺菌を行う場合は、第１注入部１００をボトル１から取外して連結部材６０に連結するとともに、第２注入部１１０を連結部材６０から取外してボトル１に連結する。また、第１加熱器１９１によって連結部材６０を加熱するとともに、第２加熱器１９２によって冷水ノズル１８０及び第１流路１２１を加熱する。第１加熱器１９１によって連結部材６０が加熱されると、連結部材６０に連結している第１注入部１００及び第１注入部１００と第２流路１２２との間の第１流路１２１が加熱される。また、第２加熱器１９２によって冷水ノズル１８０と第２流路１２２との間の第１流路１２１が加熱されると、第１流路１２１に連通している第２流路１２２も加熱されることから、冷水ノズル１８０、第１流路１２１及び第２流路１２２が加熱される。
【０１０７】
このように、本実施形態によれば、第２加熱器１９２によって冷水ノズル１８０、第１流路１２１及び第２流路１２２を加熱する際に、第１注入部１００を連結部材６０に連結し、第１加熱器１９１によって連結部材６０を加熱するようにしたので、各流路１２１，１２２の加熱殺菌を行う際に、第１注入部１００及び第１注入部１００近傍の流路も加熱殺菌することができ、飲料の衛生状態の向上を図る上で極めて有利である。
【０１０８】
また、第１流路１２１には圧力開放弁１２１ｄが設けられ、第１流路１２１内の圧力が所定の大きさ以上になると、圧力開閉弁１２１ｄにより第１流路１２１内の気化した飲料を外部に逃がすことができるので、第２加熱器１９２によって第１流路１２１を加熱する際に、第１流路１２１内の圧力が所定の大きさ以上の圧力になることを防止できる。
【０１０９】
尚、本実施形態では、第１注入部１００を加熱殺菌するようにしたものを示したが、第２注入部１１０を連結部材６０に連結するとともに、第１加熱器１９１によって連結部材６０を加熱することにより、第２注入部１１０を加熱殺菌することができる。
【０１１０】
図１６乃至図１７は本発明の第８の実施形態を示すもので、図１６は飲料ディスペンサの一部断面正面図、図１７は加熱殺菌をする際の飲料ディスペンサの一部断面正面図である。尚、第２の実施形態と同等の構成部分には同一の符号を付して示す。
【０１１１】
本実施形態の飲料ディスペンサは、飲料容器としてのボトル１に着脱自在に連結可能な第１注入部１００と、第１注入部１００に連結されたボトル１から供給される飲料を加熱して貯溜可能な加熱用貯溜部としての温水タンク２０と、第１注入部１００に連結されたボトル１から供給される飲料を冷却して貯溜可能な冷却用貯溜部としての冷却タンク２００と、冷却タンク２００内の飲料を注出可能な第１注出弁としての冷水ノズル３０と、温水タンク２０内の飲料を注出可能な第２注出弁としての温水ノズル４０と、第１注入部１００に連結されたボトル１を収容可能な周知の冷却庫５０と、冷却庫５０内に設けられ、ボトル１が連結されていない注入部１００と着脱自在に連結可能な連結部６０と、ボトル１及び連結部材６０と着脱自在に連結可能な第２注入部１１０と、第１注入部１００から冷却タンク２００に飲料を流通させる第１流路２１１と、第１流路２１１から温水タンク２０に飲料を流通させる第２流路２１２と、冷却タンク２００から冷水ノズル３０に飲料を流通させる第３流路２１３と、温水タンク２０から第３流路２１３の冷水ノズル３０側に飲料を流通させる第４流路２１４と、第４流路２１４の途中から連結部材６０に飲料を流通させる第５流路１２５と、第２注入部１１０から第１流路２１１に飲料を流通させる第６流路２１６と、第４流路２１４に設けられた飲料流通用の周知のポンプ８０と、第４流路２１４に設けられた周知の開閉弁８１とを備えている。
【０１１２】
温水タンク２０、冷水ノズル３０、温水ノズル４０、冷却庫５０、連結部材６０、ポンプ８０、開閉弁８１、各注入部１００，１１０は第２の実施形態と同等である。
【０１１３】
冷却タンク２００は両端部を閉鎖された円筒状であり、飲料を冷却するための周知の蒸発器２０１と、飲料の温度を検出可能な温度センサ２０２と、飲料を加熱するための周知の電熱ヒータ２０３とを備えている。蒸発器２０１は温度センサ２０２の検出結果に基づき制御され、冷却タンク２００内の飲料を所定の温度に冷却している。
【０１１４】
第１流路２１１は、第１注入部１００に連結された注入部側流路２１１ａと、冷却タンク２００側に連結されたノズル側流路２１１ｂと、注入部側流路２１１ａとノズル側流路２１１ｂとを連結する中間流路２１１ｃとを有する。注入部側流路２１１ａ及びノズル側流路２１１ｂはステンレス等の金属製パイプからなる。中間流路２１１ｃは樹脂配管（ポリエチレン、シリコン等）、蛇腹状ステンレス配管等の可撓性を有する管状部材からなる。第１流路２１１は冷却庫５０内に配置されている。
【０１１５】
第２流路２１２はステンレス等の金属製パイプからなり、一端がノズル側流路２１１ｂの第１注入部１００側に連通するとともに、他端が温水タンク２０に上方から連通している。第２流路２１２の一端側は冷却庫５０内に配置されている。
【０１１６】
第３流路２１３はステンレス等の金属製パイプからなり、一端が冷水ノズル３０に連通するとともに、他端が冷却タンク２００に上方から連通している。第３流路２１３の一端側は冷却庫５０内に配置されている。
【０１１７】
第４流路２１４はステンレス等の金属製パイプからなり、一端が冷水ノズル３０に連通するとともに、他端が温水タンク２０に下方から連通している。第４流路の一端側は冷却庫５０内に配置されている。
【０１１８】
第５流路２１５はステンレス等の金属製パイプからなり、一端が第４流路２１４に連通するとともに、他端が連結部材６０に連通している。第５流路２１５は冷却庫５０内に配置されている。
【０１１９】
第６流路２１６はステンレス等の金属製パイプからなり、一端が第２注入部１１０に連通するとともに、他端が注入部側流路２１１ａに連通している。即ち、第１注入部１００と第２注入部１１０とは注入部側流路２１１ａ及び第６流路２１６を介して連結されている。また、第１注入部１００が載置台５１に載置されたボトル１に連結している際に第２注入部１１０が連結部材６０に連結し、第１注入部１００が連結部材６０に連結している際に第２注入部１１０がボトル１に連結する。
【０１２０】
このように構成された飲料ディスペンサは、図１６に示すように、第１注入部１００に連結されたボトル１内の飲料は第１流路２１１及び第２流路２１２を介して温水タンク２０内に流入する。また、第１注入部１００に連結されたボトル１内の飲料は第１流路２１１を介して冷却タンク２００内に流入する。温水タンク２０内の飲料は温水用連通管２３を介して温水ノズル４０から任意に注出される。また、冷却タンク２００内の飲料は第３流路２１３を介して冷水ノズル３０から任意に注出される。このとき、ポンプ８０は停止しており、開閉弁８１は閉鎖されている。
【０１２１】
ここで、各流路２１１，２１２，２１３，２１４，２１５及び冷却タンク２００の加熱殺菌を行う場合は、第１注入部１００をボトル１から取外して連結部材６０に連結し、第２注入部１１０を連結部材６０から取外してボトル１に連結する。また、開閉弁８１を開放するとともに、ポンプ８０を駆動し、冷却タンク２００の電熱ヒータ２０３を作動させる。これにより、温水タンク２０、第４流路２１４、冷水ノズル３０、第３流路２１３、冷却タンク２００、冷却タンク２００と第２流路２１２との間の第１流路２１１及び第２流路が連通するとともに、温水タンク２０、第４流路２１４、第５流路２１５、連結部材６０、第１注入部及び第１注入部１００と第２流路２１２との間の第１流路２１１が連通する。従って、温水タンク２０内の加熱された飲料が各流路２１１，２１２，２１３，２１４，２１５、冷水ノズル３０、連結部材６０及び第１注入部１００に流通する。
【０１２２】
このように、本実施形態によれば、各流路２１１，２１２，２１３，２１４，２１５の加熱殺菌を行う場合に、第１注入部１００をボトル１から取外して連結部材６０に連結し、温水タンク２０内の加熱された飲料が各流路２１１，２１２，２１３，２１４，２１５、冷水ノズル３０、連結部材６０及び第１注入部１００に流通するようにしたので、加熱された飲料により各流路２１１，２１２，２１３，２１４，２１５の加熱殺菌を行う際に、第１注入部１００及び第１注入部１００近傍の流路も加熱殺菌することができ、飲料の衛生状態の向上を図る上で極めて有利である。
【０１２３】
尚、本実施形態では、第１注入部１００を加熱殺菌するようにしたものを示したが、第２注入部１１０を連結部材６０に連結するとともに、ポンプ８０を駆動することにより、第２注入部１１０を加熱殺菌することができる。
【０１２４】
図１８乃至図１９は本発明の第９の実施形態を示すもので、図１８は飲料ディスペンサの一部断面正面図、図１９は加熱殺菌をする際の飲料ディスペンサの一部断面正面図である。尚、第８の実施形態と同等の構成部分には同一の符号を付して示す。
【０１２５】
本実施形態の飲料ディスペンサは、飲料容器としてのボトル１に着脱自在に連結可能な第１注入部１００と、第１注入部１００に連結されたボトル１から供給される飲料を加熱して貯溜可能な加熱用貯溜部としての温水タンク２０と、第１注入部１００に連結されたボトル１から供給される飲料を冷却して貯溜可能な冷却用貯溜部としての冷却タンク２００と、冷却タンク２００内の飲料を注出可能な第１注出弁としての冷水ノズル２２０と、温水タンク２０内の飲料を注出可能な第２注出弁としての温水ノズル４０と、第１注入部１００に連結されたボトル１を収容可能な周知の冷却庫５０と、冷却庫５０内に設けられ、ボトル１が連結されていない注入部１００と着脱自在に連結可能な連結部６０と、ボトル１及び連結部材６０と着脱自在に連結可能な第２注入部１１０と、第１注入部１００から冷却タンク２００に飲料を流通させる第１流路２１１と、第１流路２１１から温水タンク２０に飲料を流通させる第２流路２１２と、冷却タンク２００から冷水ノズル３０に飲料を流通させる第３流路２１３と、第２注入部１１０から第１流路２１１に飲料を流通させる第６流路２１６と、連結部材６０を加熱可能な第１加熱器２３１と、第２流路２１２と冷却タンク２００との間の第１流路２１１を加熱可能な第２加熱器２３２と、冷水ノズル２２０及び第３流路２１３を加熱可能な第３加熱器２３３とを備えている。尚、第６流路２１６は請求項９に記載した第４流路に相当する。
【０１２６】
温水タンク２０、温水ノズル４０、冷却庫５０、連結部材６０、各注入部１００，１１０及び各流路２１１，２１２，２１３，２１６は第８の実施形態と同等である。
【０１２７】
冷水ノズル２２０は下方に延びる注出用パイプ２２１を有するとともに、内部に図示しない開閉弁が設けられ、注出用パイプ２２１の下方に配置されたコップＣＡに飲料を注出下方である。冷水ノズル２２０はその一部が冷却庫５０内に配置されている。
【０１２８】
第１加熱器２３１は連結部材６０の外周面に接する周知の電熱ヒータからなる。
【０１２９】
第２加熱器２３２は第２流路２１２と冷却タンク２００との間の第１流路２１１に接する周知の電熱ヒータからなる。
【０１３０】
第３加熱器２３３は冷水ノズル２２０及び第３流路２１３に接する周知の電熱ヒータからなる。
【０１３１】
このように構成された飲料ディスペンサは、図１８に示すように、第１注入部１００に連結されたボトル１内の飲料は第１流路２１１及び第２流路２１２を介して温水タンク２０内に流入する。また、第１注入部１００に連結されたボトル１内の飲料は第１流路２１１を介して冷却タンク２００内に流入する。温水タンク２０内の飲料は温水用連通管２３を介して温水ノズル４０から任意に注出される。また、冷却タンク２００内の飲料は第３流路２１３を介して冷水ノズル２２０から任意に注出される。
【０１３２】
ここで、各流路２１１，２１２，２１３の加熱殺菌を行う場合は、第１注入部１００をボトル１から取外して連結部材６０に連結し、第２注入部１１０を連結部材６０から取外してボトル１に連結する。また、第１加熱器２３１によって連結部材６０を加熱するとともに、第２加熱器２３２によって第１流路２１１を加熱し、第３加熱器２３３によって冷水ノズル２２０及び第３流路２１３を加熱するとともに、冷却タンク２００の電熱ヒータ２０３を作動させる。第１加熱器２３１によって連結部材６０が加熱されると、連結部材６０に連結している第１注入部１００及び第１注入部１００と第２流路２１２との間の第１流路２１１が加熱される。また、第２加熱器２３２によって第１流路２１１が加熱されると、第１流路２１１に連通している第２流路２１２も加熱され、冷却タンク２００側の第１流路２１１及び第２流路２１２が加熱される。
【０１３３】
このように、本実施形態によれば、第１注入部１００を取外して連結部材６０に連結し、第１加熱器２３１によって連結部材６０を加熱するようにしたので、各流路２１１，２１２，２１３の加熱殺菌を行う際に、第１注入部１００及び第１注入部１００近傍の流路も加熱殺菌することができ、飲料の衛生状態の向上を図る上で極めて有利である。
【０１３４】
尚、本実施形態では、第１注入部１００の加熱殺菌をするようにしたものを示したが、第２注入部１１０を連結部材６０に連結するとともに、第１加熱器２３１によって連結部材６０を加熱することにより、第２注入部１１０を加熱殺菌することができる。
【図面の簡単な説明】
【０１３５】
【図１】本発明の第１の実施形態を示す飲料ディスペンサの一部断面正面図
【図２】加熱殺菌する際の飲料ディスペンサの一部断面正面図
【図３】冷水ノズルの正面図
【図４】本発明の第２の実施形態を示す飲料ディスペンサの一部断面正面図
【図５】加熱殺菌する際の飲料ディスペンサの一部断面正面図
【図６】本発明の第３の実施形態を示す飲料ディスペンサの一部断面正面図
【図７】加熱殺菌する際の飲料ディスペンサの一部断面正面図
【図８】本発明の第４の実施形態を示す飲料ディスペンサの一部断面正面図
【図９】加熱殺菌する際の飲料ディスペンサの一部断面正面図
【図１０】本発明の第５の実施形態を示す飲料ディスペンサの一部断面正面図
【図１１】加熱殺菌する際の飲料ディスペンサの一部断面正面図
【図１２】本発明の第６の実施形態を示す飲料ディスペンサの一部断面正面図
【図１３】加熱殺菌する際の飲料ディスペンサの一部断面正面図
【図１４】本発明の第７の実施形態を示す飲料ディスペンサの一部断面正面図
【図１５】加熱殺菌する際の飲料ディスペンサの一部断面正面図
【図１６】本発明の第８の実施形態を示す飲料ディスペンサの一部断面正面図
【図１７】加熱殺菌する際の飲料ディスペンサの一部断面正面図
【図１８】本発明の第９の実施形態を示す飲料ディスペンサの一部断面正面図
【図１９】加熱殺菌する際の飲料ディスペンサの一部断面正面図
【符号の説明】
【０１３６】
１…ボトル、２…蓋、１０…注入部、１１…差込管、２０…温水タンク、３０…冷水ノズル、３１…第１接続口、３２…第２接続口、４０…温水ノズル、５０…冷却庫、６０…連結部材、７１…第１流路、７２…第２流路、７３…第３流路、７４…第４流路、８０…ポンプ、８１…開閉バルブ、１００…第１注入部、１０１…差込管、１１０…第２注入部、１１１…差込管、１２１…第１流路、１２２…第２流路、１２３…第３流路、１２４…第４流路、１２５…第５流路、１３１…第１連結部材、１３２…第２連結部材、１４１…第１流路、１４２…第２流路、１４３…第３流路、１４４…第４流路、１４５…第５流路、１４６…第６流路、１５０…加熱器、１６０…冷水ノズル、１７１…第１加熱器、１７２…第２加熱器、１８０…冷水ノズル、１９１…第１加熱器、１９２…第２加熱器、２００…冷却タンク、２０３…電熱ヒータ、２１１…第１流路、２１２…第２流路、２１３…第３流路、２１４…第４流路、２１５…第５流路、２１６…第６流路、２２０…冷水ノズル、２３１…第１加熱器、２３２…第２加熱器、２３３…第３加熱器、ＣＡ…コップ。
【図１】
2007062746.tif 000003
【図２】
2007062746.tif 000004
【図３】
2007062746.tif 000005
【図４】
2007062746.tif 000006
【図５】
2007062746.tif 000007
【図６】
2007062746.tif 000008
【図７】
2007062746.tif 000009
【図８】
2007062746.tif 000010
【図９】
2007062746.tif 000011
【図１０】
2007062746.tif 000012
【図１１】
2007062746.tif 000013
【図１２】
2007062746.tif 000014
【図１３】
2007062746.tif 000015
【図１４】
2007062746.tif 000016
【図１５】
2007062746.tif 000017
【図１６】
2007062746.tif 000018
【図１７】
2007062746.tif 000019
【図１８】
2007062746.tif 000020
【図１９】
2007062746.tif 000021